(57)【要約】【課題】容器本体に着脱を容易にするための切欠部を設ける必要がなく、強度や見栄え等の点で優れたものとすることが可能な着脱式容器を提供する。【解決手段】適宜の内容物を収容したリフィル容器１を容器本体２の内側に装着するようにした着脱式容器であって、リフィル容器１の外周面と容器本体２の内周面に互いに係合する凸部３と凹部４を周状に設けており、前記凸部３に途切れた箇所５を設け、この途切れた箇所５においてリフィル容器１と容器本体２との間に凸部３と凹部４とが係合していない隙間が生じるようにしている。【選択図】図６
2011245074.tif 000002
【特許請求の範囲】
【請求項１】
適宜の内容物を収容したリフィル容器（１）を容器本体（２）の内側に装着するようにした着脱式容器であって、リフィル容器（１）の外周面と容器本体（２）の内周面に互いに係合する凸部（３）と凹部（４）を周状に設けており、前記凸部（３）に途切れた箇所（５）を設け、この途切れた箇所（５）においてリフィル容器（１）と容器本体（２）との間に凸部（３）と凹部（４）とが係合していない隙間が生じるようにしたことを特徴とする着脱式容器。
【請求項２】
上方に円形に開口しており、容器本体（２）の内周面に円周状に設けられた凹部（４）に係合する背面側の第１凸部（３ａ）、左右の第２凸部（３ｂ）及び第３凸部（３ｃ）からなる凸部（３）を有し、さらに、第１凸部（３ａ）は、第２凸部（３ｂ）及び第３凸部（３ｃ）に比べて隆起の度合いが大きくなっているものとした請求項１記載の着脱式容器におけるリフィル容器。
【請求項３】
第２凸部（３ｂ）と第３凸部（３ｃ）との間の凸部（３）が存在しない箇所が付近にあることを示す目印（７）を付した請求項２記載のリフィル容器。
【発明の詳細な説明】
【技術分野】
【０００１】
この発明は、適宜の内容物を収容したリフィル容器を容器本体に収容するようにした着脱式容器に関するものである。
【背景技術】
【０００２】
リフィル容器を容器本体に収容するようにした着脱式容器としては、特許文献１記載の化粧料容器がある。
【０００３】
この化粧料容器は、レフィル容器３２を容器本体１２の前方収容部２８に収容できるようにしたもので、後方収納部３０側からレフィル容器３２の第２蝶番部３８後方に指を添える等して、前方かつ上方に押し上げ力を作用させることにより、レフィル容器３２を取り外すことが可能となっている（段落００２１〜００２２）。
【０００４】
しかし、レフィル容器３２の第２蝶番部３８後方に指を添えられるようにするため、容器本体１２に切欠部２６aを設けなければならず、強度や見栄え等の点で問題があった。
【先行技術文献】
【特許文献】
【０００５】
【特許文献１】特開平１０−１９２０４３号公報
【発明の概要】
【発明が解決しようとする課題】
【０００６】
そこで、この発明は、容器本体に着脱を容易にするための切欠部を設ける必要がなく、強度や見栄え等の点で優れたものとすることが可能な着脱式容器を提供することを課題とする。
【課題を解決するための手段】
【０００７】
前記課題を解決するため、この発明は次のような技術的手段を講じている。
【０００８】
本願の着脱式容器は、適宜の内容物を収容したリフィル容器１を容器本体２の内側に装着するようにした着脱式容器であって、リフィル容器１の外周面と容器本体２の内周面に互いに係合する凸部３と凹部４を周状に設けており、前記凸部３に途切れた箇所５を設け、この途切れた箇所５においてリフィル容器１と容器本体２との間に凸部３と凹部４とが係合していない隙間が生じるようにしたものとしている。
【０００９】
また、前記リフィル容器１は、上方に円形に開口しており、容器本体２の内周面に円周状に設けられた凹部４に係合する背面側の第１凸部３ａ、左右の第２凸部３ｂ及び第３凸部３ｃからなる凸部３を有し、さらに、第１凸部３ａは、第２凸部３ｂ及び第３凸部３ｃに比べて隆起の度合いが大きくなっているものとすることができる。
【００１０】
さらに、前記リフィル容器１は、第２凸部３ｂと第３凸部３ｃとの間の凸部３が存在しない箇所が付近にあることを示す目印７を付したものとすることができる。
【発明の効果】
【００１１】
この発明の着脱式容器は、上述のような構成を有しており、リフィル容器１と容器本体２との間に凸部３と凹部４とが係合していない箇所が存在するため、この箇所からリフィル容器１を上げていくことで、容易にリフィル容器１を容器本体２から取り外すことができ、容器本体２に着脱を容易にするための切欠部を設ける必要がなく、強度や見栄え等の点で優れたものとすることが可能である。
【図面の簡単な説明】
【００１２】
【図１】この発明の実施形態の着脱式容器の斜視図（リフィル容器の蓋、及び容器本体の蓋を外した状態）である。
【図２】リフィル容器の正面図である。
【図３】リフィル容器の背面図である。
【図４】リフィル容器の右側面図である。
【図５】容器本体の斜視図である。
【図６】リフィル容器を容器本体に収容した状態の横断面図（図７のＢ−Ｂ線断面図）である。
【図７】リフィル容器を容器本体に収容した状態の縦断面図（図６のＡ−Ａ線断面図）である。
【図８】リフィル容器を容器本体から取り外す様子を示す説明図である。
【発明を実施するための形態】
【００１３】
以下、この発明の好適な実施形態を、図面を参照して説明する。
【００１４】
この実施形態の着脱式容器は、適宜の内容物を収容したリフィル容器１を容器本体２の内側に装着するようにした着脱式容器であって、リフィル容器１の外周面と容器本体２の内周面に互いに係合する凸部３と凹部４を周状に設けており、前記凸部３に途切れた箇所５を設け、この途切れた箇所５においてリフィル容器１と容器本体２との間に凸部３と凹部４とが係合していない隙間が生じるようにしたものとしている。
【００１５】
この着脱式容器を構成するリフィル容器１や容器本体２の各部材は、ポリプロピレン等の適宜の合成樹脂を成形して製造することができる。
【００１６】
〔リフィル容器〕
リフィル容器１は、上方に開口した有底円筒状で、底側から開口側に向かって徐々に拡径した形状であり、開口縁には蓋６を嵌合させられるようにしている。このリフィル容器１は、例えばペースト状の化粧品、食品等を収容し、内容物を使い切った後の取替え用として容器本体２とは別個に販売することができる。
【００１７】
リフィル容器１の外周面には、開口縁と平行に凸部３が周状に設けられている。この凸部３は、開口縁のやや下に位置し、背面側の第１凸部３ａ、左右の第２凸部３ｂ及び第３凸部３ｃで形成され、正面側には第２凸部３ｂと第３凸部３ｃとの間に凸部３が途切れて存在しない箇所５が存在する。
【００１８】
第１凸部３ａ、第２凸部３ｂ及び第３凸部３ｃは、図７に現れているように、いずれも断面形状が上側よりも下側の傾斜がなだらかな山状であるが、第１凸部３ａは、第２凸部３ｂ及び第３凸部３ｃに比べて隆起の度合いが大きくなっている。第１凸部３ａの隆起の度合いは、容器本体２の凹部４に０．４ｍｍ程度かかるものとし、第２凸部３ｂと第３凸部３ｃの度合いは、それぞれ凹部４に０．２ｍｍ程度かかるものとするとよい。
【００１９】
さらに、リフィル容器１には、前記凸部３が存在しない箇所５が付近にあることを示す目印７が付されている。この目印７は、リフィル容器１を容器本体２に装着したときに、容器本体２の上に露出するように拡径した開口縁部８の外周面に付すとよい。目印７は、成形や印刷によって付すことができる。目印７を設ける箇所は、窪んだ形状とし、リフィル容器１を取り外す際に、この窪みに指の爪を引っ掛けられるようにするとよい。
【００２０】
また、リフィル容器１の外周面には、突起９，１０が設けられている。突起９，１０は、前記凸部３より上方に位置し、正面側と背面側にそれぞれ半径方向に突出するように設けられている。
【００２１】
なお、図２にあらわした側を正面側、図３にあらわした側を背面側としたが、これらの方向は説明の便宜上のものである。
【００２２】
〔容器本体〕
容器本体２は、上方に開口した有底円筒状であり、開口縁に蓋１１を螺合により取り付けられるようにしている。容器本体２は、図７にあらわれているように、内側部分２ａと外側部分２ｂからなるものとすることができる。
【００２３】
容器本体２の内周面には、リフィル容器１の前記凸部３と係合する凹部４が周状に設けられている。この凹部４は、開口縁と平行に一周しており、開口縁のやや下に位置し、リフィル容器１の前記凸部３の形状に対応して、断面形状が上側よりも下側の傾斜がなだらかな谷状となっている。
【００２４】
また、容器本体２の内周面には、ローレット１２が設けられている。ローレット１２は、リフィル容器１の前記突起９，１０と対応する位置に、全周にわたって形成されている。ローレット１２は、７０個程度の上下方向に延びる突条で形成されており、隣接する突条間に前記突起９，１０が入り込んで、リフィル容器１が回り止めされるようになっている。また、前記突起９，１０とローレット１２により、容器本体２内におけるリフィル容器１の位置が適正に調整され、不意にリフィル容器１が外れてしまったり、後述の着脱の差異に支障が生じたりしないようにしている。
【００２５】
〔使用方法〕
次に、この着脱式容器の使用方法について説明する。
【００２６】
リフィル容器１を容器本体２に装着する場合は、リフィル容器１を容器本体２の開口部の上方から押し込めばよい。リフィル容器１と容器本体２は、前記凸部３と凹部４とが係合することにより、意図的に力を加えなければ外れない状態となるとともに、前記突起９，１０とローレット１２が係合して、リフィル容器１が回り止めされる。
【００２７】
リフィル容器１を容器本体２から取り外す場合は、リフィル容器１の背面側を容器本体２の内周面に押し付け、リフィル容器１の正面側の突起９と容器本体２のローレット１２との係合が外れた状態にし、そして、リフィル容器１の第１凸部３ａと容器本体２の凹部４との係合箇所を支点にして、リフィル容器１の正面側が上昇するように回動させ、図８に示したようにリフィル容器１の凸部３と容器本体２の凹部４との係合が外れた状態にする。この操作は、リフィル容器１の前記目印７を付した箇所を爪で引っ掛けて上げることにより行うことができる。
【００２８】
この着脱式容器は、正面側において、リフィル容器１に前記凸部３が途切れた箇所５が設けられているため、容器本体２との間に凸部３と凹部４とが係合していない箇所が存在し、この箇所からリフィル容器１を上げていくことで、容易にリフィル容器１を容器本体２から取り外すことができる。
【００２９】
また、リフィル容器１の第２凸部３ｂと第３凸部３ｃは、第１凸部３ａに比べて隆起の度合いが大きく容器本体２の凹部４との係合が浅いため、凹部４から外れやすく、前記第１凸部３ａと容器本体２の凹部４との係合箇所を支点とする回動操作に支障が生じにくく、スムーズにリフィル容器１を容器本体２から取り外すことが可能である。
【００３０】
リフィル容器１を容器本体２から取り外す方法としては、リフィル容器１を正面側方向に引き寄せることによっても可能である。この場合は、リフィル容器１の正面側の内周面に指を押し当てて、手前側に向かって押し上げることにより、リフィル容器１の第１凸部３ａ、第２凸部３ｂ及び第３凸部３ｃが、それぞれ容器本体２の凹部４との係合が外れ、また、リフィル容器１の突起９，１０と容器本体２のローレット１２との係合が外れた状態にする。この方法は、リフィル容器１の内周面に油状成分が付着している場合には、指が滑るおそれがあるので、事前に付着した内容物を除去しておくことが望ましい。
【００３１】
以上がこの発明の好適な実施形態であるが、この発明は上述の実施形態の構成に限定されるものではなく、形状、寸法、材質等を適宜変更して実施することができる。
【符号の説明】
【００３２】
１  リフィル容器
２  容器本体
３  凸部
３ａ  第１凸部
３ｂ  第２凸部
３ｃ  第３凸部
４  凹部
５  凸部が途切れた箇所
７  目印
９，１０  突起
１２  ローレット
【図１】
2011245074.tif 000003
【図２】
2011245074.tif 000004
【図３】
2011245074.tif 000005
【図４】
2011245074.tif 000006
【図５】
2011245074.tif 000007
【図６】
2011245074.tif 000008
【図７】
2011245074.tif 000009
【図８】
2011245074.tif 000010